(57)【要約】      （修正有）【課題】幹線増幅器に備えられる信号増幅機能の応答速度を高めるとともに、上り伝送信号が有する所定の周波数帯域の有効利用を図ることで、住戸幹線の線路長及び居室親機の設置台数の自由度を高める。【解決手段】住戸毎の分岐器を経由して制御機に接続される住戸幹線Ｌ2のライン上に、居室親機から集合玄関機への上り伝送信号の信号レベルを当該分岐器の出力レベルまで増幅する上り伝送信号処理部６２と下り伝送信号の信号レベルを制御機の出力レベルまで増幅する下り伝送信号処理部６３とを有する幹線増幅器６を少なくとも当該住戸幹線の減衰量に対応した所定の間隔で設置し、この上り伝送信号処理部が有する上り伝送用ＡＧＣ増幅器６２４にて下流側の住戸幹線がデータ非伝送時の暗ノイズを増幅した場合であっても、増幅された暗ノイズの上流側の住戸幹線への送出を停止する。【選択図】図２
2014068309.tif 000002
【特許請求の範囲】
【請求項１】
集合住宅の集合玄関に設置され来訪者が居住者を呼び出して通話を成立させる集合玄関機と、前記集合住宅の複数の住戸の住戸内にそれぞれ設置され前記集合玄関機からの呼出しを確認した前記居住者が応答して前記来訪者との間で通話を成立させる居室親機と、前記集合玄関機及び前記居室親機を制御して前記集合玄関機から前記居室親機への下り伝送信号の信号伝送路、前記居室親機から前記集合玄関機への上り伝送信号の信号伝送路をそれぞれ形成する制御機と、前記住戸毎に設置され前記制御機に接続される住戸幹線を分岐して前記居室親機に接続される住戸別線へ引込む分岐器とを備え、
前記住戸幹線のライン上には、前記上り伝送信号の信号レベルを前記分岐器の出力レベルまで増幅する上り伝送信号処理部と前記下り伝送信号の信号レベルを前記制御機の出力レベルまで増幅する下り伝送信号処理部とを有する幹線増幅器が少なくとも当該住戸幹線の減衰量に対応した所定の間隔で設置され、
前記幹線増幅器の前記上り伝送信号処理部は、前記分岐器から下流側の住戸幹線を伝送されてくる前記上り伝送信号を所定の利得で増幅する上り伝送用ＡＧＣ増幅器と、前記上り伝送用ＡＧＣ増幅器の出力電圧を直流電圧に変換して当該上り伝送用ＡＧＣ増幅器にフィードバックすることで前記所定の利得を決定する上り伝送用利得設定回路と、前記上り伝送用利得設定回路の出力電圧と前記下流側の住戸幹線がデータ非伝送時の直流電圧に設定される基準電圧を比較する電圧比較回路とを備え、
前記電圧比較回路は、前記上り伝送用利得設定回路の出力電圧が前記基準電圧よりも高いときに前記上り伝送用ＡＧＣ増幅器から上流側の住戸幹線への出力を停止することを特徴とする集合住宅インターホン装置。
【請求項２】
前記幹線増幅器の前記下り伝送信号処理部は、前記分岐器から上流側の住戸幹線を伝送されてくる前記下り伝送信号を所定の利得で増幅する下り伝送用ＡＧＣ増幅器と、前記下り伝送用ＡＧＣ増幅器の出力電圧を直流電圧に変換して当該下り伝送用ＡＧＣ増幅器にフィードバックすることで前記所定の利得を決定する下り伝送用利得設定回路とを備えることを特徴とする請求項１記載の集合住宅インターホン装置。
【請求項３】
前記住戸幹線及び前記住戸別線はそれぞれ、２線で構成されることを特徴とする請求項１又は請求項２記載の集合住宅インターホン装置。
【発明の詳細な説明】
【技術分野】
【０００１】
本発明は、マンション等の集合住宅に設置される集合住宅インターホン装置に係り、特に、制御機を経由して集合玄関機及び居室親機間で下り方向、上り方向の各伝送信号を送受信するにあたって、制御機及び居室親機間の配線長に対応して減衰する各伝送信号の信号レベルを増幅することができる集合住宅インターホン装置に関する。
【背景技術】
【０００２】
従来から、図４のシステム説明図に示す構成の集合住宅インターホン装置が開示されている。この集合住宅インターホン装置は、集合住宅の集合玄関に設置される集合玄関機１０１と、集合住宅の複数の住戸、ここでは、１０１号室、１０２号室、・・・、２０１号室、２０２号室、・・・、３０１号室、３０２号室、・・・、４０１号室、４０２号室、・・・、・・・のような各住戸の住戸外、例えば、住戸玄関にそれぞれ設置され、後述する自住戸内の居室親機１０３を呼出して音声データを送受信することで通話を成立させるとともに映像データを生成する（複数の）玄関子機１０２と、前述のような各住戸の住戸内にそれぞれ設置され集合玄関機１０１又は自住戸の玄関子機１０２からの呼出しに応答して音声データを送受信することで通話を成立させるとともに集合玄関機１０１及び自住戸の玄関子機１０２のうち少なくとも集合玄関機１０１にて生成される映像データを出画する（複数の）居室親機１０３と、集合玄関機１０１及び居室親機１０３を制御して集合玄関機１０１から居室親機１０３への下り伝送信号の信号伝送路、居室親機１０３から集合玄関機１０１への上り伝送信号の信号伝送路をそれぞれ形成する制御機１０４と、住戸毎に設置され制御機１０４に接続される住戸幹線Ｌ102を分岐して居室親機１０３に接続される住戸別線Ｌ103へ引込む（複数の）分岐器１０５と、住戸幹線Ｌ102のライン上である各分岐器１０５間の所定の位置、ここでは、２階のフロアを含めより上階（３階、４階、・・・）のフロア毎に設置され、前述のような下り伝送信号の信号レベル及び上り伝送信号の信号レベルをそれぞれ増幅する（複数の）幹線増幅器１０６とを備える集合住宅インターホンシステムが開示されている（例えば、特許文献１を参照）。
【先行技術文献】
【特許文献】
【０００３】
【特許文献１】特開２００６−２７９７８９号公報
【発明の概要】
【発明が解決しようとする課題】
【０００４】
背景技術に記載した図４に示す構成の集合住宅インターホン装置において、例えば、集合玄関機１０１からの呼出しに応答した特定の居室親機１０３より住戸別線Ｌ103、分岐器１０５、住戸幹線Ｌ102を経由して制御機１０４に所定のフレーム構成の上り伝送信号を送出するにあたり、この上り伝送信号は時分割多重方式の信号であるため、集合玄関機１０１からの呼出先ではない居室親機１０３によれば、制御機１０４を経由して集合玄関機１０１への上り伝送信号の送出がない所謂、データ非伝送状態となる。
【０００５】
しかしながら、データ非伝送状態の居室親機１０３であっても、その居室親機１０３に接続される住戸別線Ｌ103には暗ノイズ（背景雑音）が重畳されるため、この暗ノイズが、住戸幹線Ｌ102のライン上に設置された所定数の分岐器１０５及びその住戸幹線Ｌ102を経由して伝送されるにあたって、幹線増幅器１０６に例えば、図示しないＡＧＣ増幅器が備えられている場合、ＡＧＣ増幅器の作用としては最大値の利得で動作するため、暗ノイズを最大値の利得で増幅することになる。
【０００６】
ここで、暗ノイズを最大値の利得で増幅した幹線増幅器１０６からの出力が、集合玄関機１０１からの呼出しに応答した特定の居室親機１０３より住戸別線Ｌ103、分岐器１０５を経由して住戸幹線Ｌ102に送出された上り伝送信号に重畳されると、この上り伝送信号の受信側である制御機１０４や集合玄関機１０１において、例えば、誤ったデータ認識や音声ノイズが発生することになり、安定かつ正常なデータ通信が困難となるおそれがあった。
【０００７】
これに対応する具体的な手段としては、ＡＧＣ増幅器の出力を停止させる手段が好適であるものの、この手段を適用し、停止後のＡＧＣ増幅器を再度動作（再起動）させるにあたっては、当該ＡＧＣ増幅器に係る立上がり時間や立下がり時間を考慮した、データの衝突を防止するためのガードビットを上り伝送信号のフレーム構成として設けなければならず、そのガードビットの長さに起因してフレーム構成の損出が増大するため、上り伝送信号が有する所定の周波数帯域を有効に使うことができず、例えば、１フレーム毎のサブフレーム数に制約が発生し、制御機１０４に接続可能な居室親機１０３の台数が制限される難点があった。
【０００８】
本発明は、これらの難点を解消するためになされたもので、幹線増幅器に備えられる信号増幅機能の応答速度を高めるとともに、上り伝送信号が有する所定の周波数帯域の有効利用を図ることで、住戸幹線の線路長及び居室親機の設置台数の自由度を高めることができる集合住宅インターホン装置を提供することを目的としている。
【課題を解決するための手段】
【０００９】
前述の目的を達成するため、本発明の第１の態様である集合住宅インターホン装置は、集合住宅の集合玄関に設置され来訪者が居住者を呼び出して通話を成立させる集合玄関機と、集合住宅の複数の住戸の住戸内にそれぞれ設置され集合玄関機からの呼出しを確認した居住者が応答して来訪者との間で通話を成立させる居室親機と、集合玄関機及び居室親機を制御して集合玄関機から居室親機への下り伝送信号の信号伝送路、居室親機から集合玄関機への上り伝送信号の信号伝送路をそれぞれ形成する制御機と、住戸毎に設置され制御機に接続される住戸幹線を分岐して居室親機に接続される住戸別線へ引込む分岐器とを備えている。住戸幹線のライン上には、上り伝送信号の信号レベルを分岐器の出力レベルまで増幅する上り伝送信号処理部と下り伝送信号の信号レベルを制御機の出力レベルまで増幅する下り伝送信号処理部とを有する幹線増幅器が少なくとも当該住戸幹線の減衰量に対応した所定の間隔で設置されている。幹線増幅器の上り伝送信号処理部は、分岐器から下流側の住戸幹線を伝送されてくる上り伝送信号を所定の利得で増幅する上り伝送用ＡＧＣ増幅器と、上り伝送用ＡＧＣ増幅器の出力電圧を直流電圧に変換して当該上り伝送用ＡＧＣ増幅器にフィードバックすることで所定の利得を決定する上り伝送用利得設定回路と、上り伝送用利得設定回路の出力電圧と下流側の住戸幹線がデータ非伝送時の直流電圧に設定される基準電圧を比較する電圧比較回路とを備えている。電圧比較回路は、上り伝送用利得設定回路の出力電圧が基準電圧よりも高いときに上り伝送用ＡＧＣ増幅器から上流側の住戸幹線への出力を停止するものである。
【００１０】
この態様の集合住宅インターホン装置によれば、居室親機から分岐器及び制御機を経由して集合玄関機への上り伝送信号の信号レベルを当該分岐器の出力レベルまで増幅する幹線増幅器の上り伝送信号処理部において、上り伝送用ＡＧＣ増幅器が下流側の住戸幹線からのデータ非伝送時の暗ノイズを増幅した場合であっても、この上り伝送用ＡＧＣ増幅器が有する所定の利得を決定する上り伝送用利得設定回路からの出力電圧が当該データ非伝送時の直流電圧に設定される基準電圧と比較して高くなるため、これを検出した電圧比較回路の制御により、上り伝送用ＡＧＣ増幅器から上流側の住戸幹線への出力が停止される。したがって、上り伝送用ＡＧＣ増幅器の動作を停止させることなく、増幅された暗ノイズの上流側の住戸幹線への送出を停止できるため、上り伝送信号のフレームを構成するガードビットを減らすことができ当該上り伝送用ＡＧＣ増幅器の応答速度が高められるとともに、例えば、音声データのサンプリングレートが高められることで音質が向上するように、当該上り伝送信号が有する所定の周波数帯域の有効利用が図られ、さらには、住戸幹線の線路長及び居室親機の設置台数の自由度を高めることができる。
【００１１】
また、本発明の第２の態様である集合住宅インターホン装置は、本発明の第１の態様において、幹線増幅器の下り伝送信号処理部は、分岐器から上流側の住戸幹線を伝送されてくる下り伝送信号を所定の利得で増幅する下り伝送用ＡＧＣ増幅器と、下り伝送用ＡＧＣ増幅器の出力電圧を直流電圧に変換して当該下り伝送用ＡＧＣ増幅器にフィードバックすることで所定の利得を決定する下り伝送用利得設定回路とを備えている。
【００１２】
この態様の集合住宅インターホン装置によれば、幹線増幅器の下り伝送信号処理部は、集合玄関機から制御機を経由して居室親機への下り伝送信号の信号レベルを当該制御機の出力レベルまで増幅することができる。
【００１３】
また、本発明の第３の態様である集合住宅インターホン装置は、本発明の第１の態様又は第２の態様において、住戸幹線及び住戸別線はそれぞれ、２線で構成されている。
【００１４】
この態様の集合住宅インターホン装置によれば、リ・プレースが容易であり多種・多様な形態の当該装置に適用することができる。
【発明の効果】
【００１５】
本発明の集合住宅インターホン装置によれば、住戸毎の分岐器を経由して制御機に接続される住戸幹線のライン上に、居室親機から集合玄関機への上り伝送信号の信号レベルを当該分岐器の出力レベルまで増幅する上り伝送信号処理部と下り伝送信号の信号レベルを制御機の出力レベルまで増幅する下り伝送信号処理部とを有する幹線増幅器を少なくとも当該住戸幹線の減衰量に対応した所定の間隔で設置し、この上り伝送信号処理部が有するＡＧＣ増幅器にて下流側の住戸幹線がデータ非伝送時の暗ノイズを増幅した場合であっても、増幅された暗ノイズを上流側の住戸幹線に送出することはない。
【００１６】
したがって、上り伝送用ＡＧＣ増幅器の動作を停止させることなく、増幅された暗ノイズの上流側の住戸幹線への送出を停止できるため、上り伝送信号のフレームを構成するガードビットを減らすことができ当該上り伝送用ＡＧＣ増幅器の応答速度が高められるとともに、例えば、音声データのサンプリングレートが高められることで音質が向上するように、当該上り伝送信号が有する所定の周波数帯域の有効利用が図られ、さらには、住戸幹線の線路長及び居室親機の設置台数の自由度を高めることができる。
【図面の簡単な説明】
【００１７】
【図１】本発明の実施例による集合住宅インターホン装置の全体構成を示すシステム説明図である。
【図２】本発明の実施例による集合住宅インターホン装置において、幹線増幅器の具体的な構成を示すブロック図である。
【図３】本発明の実施例による集合住宅インターホン装置において適用される、集合玄関機から居室親機への下り伝送信号の周波数特性及びフレーム構成例、居室親機から集合玄関機への上り伝送信号の周波数特性及びフレーム構成例をそれぞれ示す説明図である。
【図４】従来例の集合住宅インターホン装置の全体構成を示すシステム説明図である。
【発明を実施するための形態】
【００１８】
以下、本発明の集合住宅インターホン装置を適用した実施の形態例について、図面を参照して説明する。
【００１９】
図１は、本発明の実施例による集合住宅インターホン装置の全体構成を示すシステム説明図であって、マンション等の集合住宅に設置されるものである。この集合住宅インターホン装置は、集合住宅の集合玄関に設置される集合玄関機１と、集合住宅の複数の住戸、ここでは、１０１号室、１０２号室、・・・、２０１号室、２０２号室、・・・、３０１号室、３０２号室、・・・、４０１号室、４０２号室、・・・、・・・のような各住戸の住戸外、例えば、住戸玄関にそれぞれ設置され、後述する自住戸内の居室親機３を呼出して音声データを送受信することで通話を成立させるとともに映像データを生成する（複数の）玄関子機２と、前述のような各住戸の住戸内にそれぞれ設置され集合玄関機１又は自住戸の玄関子機２からの呼出しに応答して音声データを送受信することで通話を成立させるとともに集合玄関機１及び自住戸の玄関子機２のうち少なくとも集合玄関機１にて生成される映像データを出画する（複数の）居室親機３と、集合玄関機１及び居室親機３を制御して集合玄関機１から居室親機３への下り伝送信号の信号伝送路、居室親機３から集合玄関機１への上り伝送信号の信号伝送路をそれぞれ形成する制御機４と、住戸毎に設置され制御機４に接続される住戸幹線Ｌ2を分岐して居室親機３に接続される住戸別線Ｌ3へ引込む（複数の）分岐器５と、住戸幹線Ｌ2のライン上である各分岐器５間の所定の位置に設置される（複数の）幹線増幅器６とを備えている。また、集合玄関機１は、玄関機接続線Ｌ1を経由して制御機４に接続されている。さらに、居室親機３は、子機／親機接続線Ｌ4を経由して玄関子機２に接続されている。
【００２０】
ここで、下り伝送信号とは、図３の説明図に示すような例えば、１０ＭＨｚ〜１４ＭＨｚの所定の周波数帯域で、１２８０ビットの１フレーム内の所定の位置に「プリアンブル（図面上では、「Ｐ」と表記）」、「ヘッダ（図面上では、「Ｈ」と表記）」、「ＣＲＣ」、「ガードビット（図面上では、「Ｇ」と表記）」がそれぞれ挿入されたスロットを配置することにより、集合玄関機１から居室親機３への例えば、呼出しのための制御データ（呼出データ）、前述の映像データ、音声データ等の各種データを該当スロットに挿入して伝送する信号である。
【００２１】
一方、上り伝送信号とは、図３の説明図に示すような例えば、３ＭＨｚ〜５ＭＨｚの所定の周波数帯域で、１２８０ビットの１フレーム毎にチャンネル毎に複数のサブフレーム（制御用サブフレーム、音声用サブフレーム）が設けられ、サブフレーム内の所定の位置に「プリアンブル（Ｐ）」、「ＣＲＣ」、「ガードビット（Ｇ）」がそれぞれ挿入されたスロットを配置することにより、居室親機３から集合玄関機１への例えば、呼出応答があることを示す制御データ（呼出応答データ）、前述の音声データ等の各種データを該当スロットに挿入して伝送する信号である。
【００２２】
また、（複数の）幹線増幅器６は、前述のような上り伝送信号の信号レベルを分岐器５の出力レベルまで増幅するとともに下り伝送信号の信号レベルを制御機４の出力レベルまで増幅するためのものであって、少なくとも当該住戸幹線の減衰量に対応した所定の間隔、例えば、当該住戸幹線の減衰量のみならず分岐器５の減衰（通過減衰）量に対応した所定の間隔で設置されている。ここでは、２階のフロアを含めより上階（３階、４階、・・・）のフロア毎に設置されているものとする。
【００２３】
なお、分岐器５の減衰量、すなわち、当該分岐器１台当たりの通過損失量とは、例えば、−０．１５ｄＢであり、制御機４から、より下流側の分岐器５として例えば、２５階のフロアに設置される分岐器５の通過損失量は、例えば、−３．７５ｄＢである。
【００２４】
さらに、住戸幹線Ｌ2及び住戸別線Ｌ3はそれぞれ、当該装置のリ・プレースが容易とされる２線で構成されており、例えば、日本電線工業会（ＪＣＳ）規格のＦＣＰＥＶ線又はＡＥ線が好適とされる。
【００２５】
なお、住戸幹線Ｌ2を構成するＦＣＰＥＶ線の減衰量として、１ｍの線路長当たりでは、下り伝送信号が例えば、−０．１ｄＢ、上り伝送信号が例えば、−０．０６６ｄＢそれぞれ減衰し、１５０ｍの線路長当たりでは、下り伝送信号が例えば、−１５ｄＢ、上り伝送信号が例えば、−１０ｄＢそれぞれ減衰する特性を有している。
【００２６】
一方、住戸幹線Ｌ2を構成するＡＥ線の減衰量として、１ｍの線路長当たりでは、下り伝送信号が例えば、−０．０６６ｄＢ、上り伝送信号が例えば、−０．０３３ｄＢそれぞれ減衰し、１５０ｍの線路長当たりでは、下り伝送信号が例えば、−１０ｄＢ、上り伝送信号が例えば、−５ｄＢそれぞれ減衰する特性を有している。
【００２７】
次に、図１に示す当該装置の具体的な構成として、集合玄関機１には、玄関機操作部１０、玄関機撮像部１１及び玄関機通話部１２が備えられている。ここで、玄関機操作部１０は、集合玄関に居る来訪者が１０１号室、１０２号室、・・・、２０１号室、２０２号室、・・・、３０１号室、３０２号室、・・・、４０１号室、４０２号室、・・・、・・・のような各住戸のうち特定の住戸内に在室中の居住者を呼出す操作（呼出操作）を行うものであり、例えば、テンキーボタン１０ａや呼出ボタン１０ｂで構成されている。
【００２８】
また、玄関機撮像部１１は、玄関機操作部１０（１０ａ、１０ｂ）にて所定の呼出操作を行った来訪者の映像（集合玄関の周囲環境下の映像を含む）を撮像して映像データを生成するものであり、例えば、ＣＣＤ、ＣＭＯＳ等の各種カメラで構成されている。
【００２９】
さらに、玄関機通話部１２は、来訪者が呼出先である（特定の）居住者との間で通話を成立させる（送話音声、受話音声の）音声データを入出力するものであり、例えば、マイク１２ａ及びスピーカ１２ｂで構成されている。
【００３０】
次に、（複数の）玄関子機２は同様な構成であって、子機操作部２０、子機撮像部２１及び子機通話部２２が備えられている。ここで、子機操作部２０は、住戸玄関に居る来訪者が自住戸内に在室中の居住者を呼出す操作を行うものであり、例えば、呼出ボタン２０ａで構成されている。
【００３１】
また、子機撮像部２１は、子機操作部２０（２０ａ）にて所定の呼出操作を行った来訪者の映像（住戸玄関の周囲環境下の映像を含む）を撮像して映像データを生成するものであり、例えば、ＣＣＤ、ＣＭＯＳ等の各種カメラで構成されている。
【００３２】
さらに、子機通話部２２は、来訪者が呼出先である居住者との間で通話を成立させる（送話音声、受話音声の）音声データを入出力するものであり、マイク２２ａ及びスピーカ２２ｂで構成されている。
【００３３】
次に、（複数の）居室親機３は同様な構成であって、親機表示部３０、親機通話部３１及び親機操作部３２が備えられている。ここで、親機表示部３０は、集合玄関機１又は（自住戸の）玄関子機２を使用した来訪者からの呼出しがあることを表示するとともに、集合玄関機１の玄関機撮像部１１及び自住戸の玄関子機２の子機撮像部２１にてそれぞれ生成される映像データのうち少なくとも集合玄関機１の映像撮像部１１にて生成される映像データを出画するものであり、例えば、呼出表示・報知機能を有するＬＥＤ３０ａ及び映像出画機能を有するＬＣＤ、有機ＥＬディスプレイ等のモニタ３０ｂで構成されている。
【００３４】
また、親機通話部３１は、居住者が呼出元である来訪者との間で通話を成立させる（送話音声、受話音声の）音声データを入出力するものであり、例えば、マイク３１ａ及びスピーカ３１ｂで構成され、このスピーカ３１ｂは、前述の呼出報知機能も有している。なお、親機通話部３１としては、ハンドセット（図示せず。）を備えることもできる。
【００３５】
さらに、親機操作部３２は、居住者が来訪者からの呼出しに応答して通話を成立させる応答操作、成立中の通話を終了させる終話操作等を行うものであり、例えば、通話応答等の各種の操作ボタン３２ａやこれらの操作機能を有する（モニタ３０ｂの画面上に設けられた）タッチパネル３２ｂで構成されている。
【００３６】
次に、（複数の）幹線増幅器６の具体的な構成について、図２のブロック図を参照して説明する。同図に示す幹線増幅器６は同様な構成であって、上流側信号送受信部６０、下流側信号送受信部６１、上り伝送信号処理部６２及び下り伝送信号処理部６３を有している。
【００３７】
ここで、上流側信号送受信部６０は、（上流側の分岐器５から）上流側の住戸幹線Ｌ2を経由して伝送されてくる下り伝送信号を受信して下り伝送信号処理部６３に送出するとともに、下流側信号送受信部６１から上り伝送信号処理部６２を経由して伝送されてくる上り伝送信号を受信して上流側の住戸幹線Ｌ2に送出するものであり、例えば、ハイブリッド・トランスで構成されている。
【００３８】
また、下流側信号送受信部６１は、（下流側の分岐器５から）下流側の住戸幹線Ｌ2を経由して伝送されてくる上り伝送信号を受信して上り伝送信号処理部６２に送出するとともに、上流側信号送受信部６０から下り伝送信号処理部６３を経由して伝送されてくる下り伝送信号を受信して下流側の住戸幹線Ｌ2に送出するものであり、例えば、ハイブリッド・トランスで構成されている。
【００３９】
次に、上り伝送信号処理部６２には、第１、第２の上り伝送用増幅器６２０、６２１、第１、第２の上り伝送用波形整形回路６２２、６２３、上り伝送用ＡＧＣ増幅器６２４、上り伝送用利得設定回路６２５及び電圧比較回路６２６が備えられている。
【００４０】
ここで、第１の上り伝送用増幅器６２０は、下流側信号送受信部６１にて受信された上り伝送信号（の信号レベル）を固定レベルである所定の利得で増幅するものである。また、第１の上り伝送用波形整形回路６２２は、第１の上り伝送用増幅器６２０の出力である上り伝送信号のうち例えば、３ＭＨｚ〜５ＭＨｚの所定の周波数帯域のみを通過させるものである。
【００４１】
上り伝送用ＡＧＣ増幅器６２４は、第１の上り伝送用波形整形回路６２２の出力である上り伝送信号（の信号レベル）を所定の利得で増幅するものである。また、上り伝送用利得設定回路６２５は、上り伝送用ＡＧＣ増幅器６２４の出力電圧を直流電圧に変換して当該上り伝送用ＡＧＣ増幅器にフィードバックすることで前述の所定の利得を決定するものである。
【００４２】
第２の上り伝送用波形整形回路６２３は、上り伝送用ＡＧＣ増幅器６２４の出力である上り伝送信号のうち例えば、３ＭＨｚ〜５ＭＨｚの所定の周波数帯域のみを通過させるものである。また、第２の上り伝送用増幅器６２１は、第２の上り伝送用波形整形回路６２３の出力である上り伝送信号（の信号レベル）を固定レベルである所定の利得で増幅し、上流側信号送受信部６０から上流側の住戸幹線Ｌ2への出力を低電流で、かつ当該住戸幹線から見てハイ・インピーダンスとするものである。
【００４３】
電圧比較回路６２６は、上り伝送用利得設定回路６２５の出力電圧と下流側の住戸幹線Ｌ2がデータ非伝送時の直流電圧に設定される基準電圧を比較することで、上り伝送用利得設定回路６２５の出力電圧が基準電圧よりも高いときに上り伝送用ＡＧＣ増幅器６２４から第２の上り伝送用増幅器６２１、上流側信号送受信部６０を経由して上流側の住戸幹線Ｌ2への出力を停止するものである。
【００４４】
次に、幹線増幅器６の下り伝送信号処理部６３には、第１、第２の下り伝送用増幅器６３０、６３１、第１、第２の下り伝送用波形整形回路６３２、６３３、下り伝送用ＡＧＣ増幅器６３４及び下り伝送用利得設定回路６３５が備えられている。
【００４５】
ここで、第１の下り伝送用増幅器６３０は、上流側信号送受信部６０にて受信された下り伝送信号（の信号レベル）を固定レベルである所定の利得で増幅するものである。また、第１の下り伝送用波形整形回路６３２は、第１の下り伝送用増幅器６３０の出力である下り伝送信号のうち例えば、１０ＭＨｚ〜１４ＭＨｚの所定の周波数帯域のみを通過させるものである。
【００４６】
下り伝送用ＡＧＣ増幅器６３４は、第１の下り伝送用波形整形回路６３２の出力である下り伝送信号（の信号レベル）を所定の利得で増幅するものである。また、下り伝送用利得設定回路６３５は、下り伝送用ＡＧＣ増幅器６３４の出力電圧を直流電圧に変換して当該下り伝送用ＡＧＣ増幅器にフィードバックすることで前述の所定の利得を決定するものである。
【００４７】
第２の下り伝送用波形整形回路６３３は、下り伝送用ＡＧＣ増幅器６３４の出力である下り伝送信号のうち例えば、１０ＭＨｚ〜１４ＭＨｚの所定の周波数帯域のみを通過させるものである。また、第２の下り伝送用増幅器６３１は、第２の下り伝送用波形整形回路６３３の出力である下り伝送信号（の信号レベル）を固定レベルである所定の利得で増幅し、下流側信号送受信部６１から下流側の住戸幹線Ｌ2への出力を低電流で、かつ当該住戸幹線から見てハイ・インピーダンスとするものである。
【００４８】
このように構成された本発明の実施例による集合住宅インターホン装置において、以下、具体的な動作について説明する。
【００４９】
集合住宅の集合玄関に居る来訪者が、複数の住戸のうち例えば、３０１号室内に在室中の居住者を呼出すにあたり、図１に示す集合玄関機１の玄関機操作部１０（１０ａ、１０ｂ）を使用して所定の呼出操作を行うと、図３に示すような下り伝送信号に係る所定の周波数帯域であって、１フレーム内の最前、最後の該当スロットに「プリアンブル（Ｐ）」、「ガードビット（Ｇ）」がそれぞれ挿入され、「プリアンブル（Ｐ）」の直後のスロットである「ヘッダ」の該当スロットには、３０１号室を指定するための住戸アドレスを構成する親機番号を、「制御データ」の該当スロットには、呼出元である集合玄関機１を示す玄関機番号及び呼出しがある旨の呼出データを、「映像データ」の該当スロットには、玄関機撮像部１１にて生成された映像データを、「ガードビット（Ｇ）」の直前の該当スロットには「ＣＲＣ」をそれぞれ挿入させた下り伝送信号が生成される。この下り伝送信号は、時分割多重方式の信号（変調信号）であり、集合玄関機１から玄関機接続線Ｌ1、制御機４を経由して住戸幹線Ｌ2にマルチキャストで伝送される。
【００５０】
ここで、住戸幹線Ｌ2のライン上に設置された（複数の）分岐器５は、上流側の住戸幹線Ｌ2を経由して伝送されてくる下り伝送信号を住戸別線Ｌ3に引込み、この住戸別線Ｌ3を経由して自住戸の居室親機３に送出するとともに、同様に受信した下り伝送信号を上流側の住戸幹線Ｌ2に送出する。
【００５１】
なお、２階のフロアを含めより上階（３階、４階、・・・）のフロア毎のように、下り伝送信号が伝送される上流側の住戸幹線Ｌ2のライン上に幹線増幅器６が設置されている場合、幹線増幅器６を構成する図２に示す下り伝送信号処理部６３は、上流側の住戸幹線Ｌ2を伝送され上流側信号送受信部６０にて受信された下り伝送信号について、第１の下り伝送用増幅器６３０、第１の下り伝送用波形整形回路６３２を経由して所定の信号処理を行った後、下り伝送用ＡＧＣ増幅器６３４に送出する。この下り伝送用ＡＧＣ増幅器６３４には、下り伝送用利得設定回路６３５が当該下り伝送用ＡＧＣ増幅器の出力電圧を直流電圧に変換してフィードバック入力されるため、その作用で決定された所定の利得で下り伝送信号（の信号レベル）を増幅することができる。すなわち、下り伝送信号が伝送されてきた住戸幹線Ｌ2の線路長に起因した前述の減衰量及びその伝送経路上に設置された所定数の分岐器５の減衰量に対応して、その振幅が小さい場合には大きな利得で増幅する一方、その振幅が大きい場合には小さな利得で増幅する。
【００５２】
また、下り伝送用ＡＧＣ増幅器６３４の出力である下り伝送信号は、第２の下り伝送用波形整形回路６３３、第２の下り伝送用増幅器６３１を経由して所定の信号処理がなされた後、下流側信号送受信部６１から下流側の住戸幹線Ｌ2に送出される。
【００５３】
したがって、前述のように下り伝送信号が伝送される上流側の住戸幹線Ｌ2のライン上に幹線増幅器６が設置されている場合、この幹線増幅器６の下り伝送信号処理部６６３は、下り伝送信号の信号レベルを制御機４の出力レベルまで増幅することができ、幹線増幅器６から上流側の住戸幹線Ｌ2を経由して伝送されてきた下り伝送信号を、分岐器５を用いて住戸別線Ｌ3に引込み、この住戸別線Ｌ3を経由して全ての居室親機３に送出するにあたっても、当該下り伝送信号が伝送されてきた住戸幹線Ｌ2の線路長に起因した前述の減衰量及び伝送経路上に設置される所定数の分岐器５の減衰量に影響されず、安定かつ正常な信号レベルが確保されることになる。
【００５４】
全ての居室親機３は、集合玄関機１から伝送されてきた下り伝送信号を受信すると、図３に示すフレーム構成を参照し、そのフレーム構成のうち「ヘッダ」の該当スロットに挿入される住戸アドレスを構成する親機番号と自居室親機に予め割当てられている親機番号とを比較し、当該親機番号が一致した場合にのみ、「制御データ」の該当スロットに挿入されている玄関機番号及び呼出データをもとに（集合玄関機１を使用した）集合玄関に居る来訪者からの呼出しがあることを検出することができる。
【００５５】
このような呼出先である特定の居室親機３によれば、親機表示部３０のＬＥＤ３０ａ及び／又はモニタ３０ｂや親機通話部３１のスピーカ３１ｂを使用して呼出報知（呼出表示、呼出発報）するとともに、「映像データ」の該当スロットに挿入されている映像データ、すなわち、集合玄関機１の玄関機撮像部１１にて撮像された映像データをモニタ３０ｂに出画させることができる。ここでは、３０１号室内に設置された居室親機３のみ当該親機番号が一致し、前述のような呼出報知（呼出表示、呼出発報）及び映像出画の動作が行われることになる。
【００５６】
次に、前述のような呼出報知（呼出表示、呼出発報）及び映像信号の出画をもとに、集合玄関に居る来訪者からの呼出しがあり、この来訪者を映像データの出画とともに確認することができた３０１号室内に在室中の居住者が、図１に示す居室親機３の親機操作部３２（３２ａ、３２ｂ）を使用して所定の応答操作を行うと、親機通話部３１のマイク３１ａ及びスピーカ３１ｂの使用による通話機能が能動となるとともに、図３に示すような上り伝送信号に係る所定の周波数帯域であって、１フレームを構成する２チャンネル分のサブフレーム（制御用サブフレーム、音声用サブフレーム）のうち、空き状態である例えば、１チャンネル目の制御用サブフレーム内の最前、最後の該当スロットに「プリアンブル（Ｐ）」、「ガードビット（Ｇ）」がそれぞれ挿入され、「プリアンブル（Ｐ）」の直後のスロットである「制御データ」の該当スロットには、呼出応答先ある３０１号室内に設置された居室親機３を示す親機番号及び呼出応答がある旨の呼出応答データを、「ガードビット（Ｇ）」の直前の該当スロットには「ＣＲＣ」をそれぞれ挿入させ、さらに、１チャンネル目の音声用サブフレーム内の最前、最後の該当スロットに「プリアンブル（Ｐ）」、「ガードビット（Ｇ）」がそれぞれ挿入され、「プリアンブル（Ｐ）」の直後のスロットである「音声データ」の該当スロットには、居住者により親機通話部３１のマイク３１ａに入力された送話音声の音声データを、「ガードビット（Ｇ）」の直前の該当スロットには「ＣＲＣ」をそれぞれ挿入させた上り伝送信号が生成される。この上り伝送信号は、時分割多重方式の信号（変調信号）であり、３０１号室内に設置された居室親機３から住戸別線Ｌ3、分岐器５、住戸幹線Ｌ2を経由して２階のフロアに設置された幹線増幅器６に伝送される。
【００５７】
一方、３０１号室内に設置された居室親機３以外の、同一階（３階）他住戸及び４階以上の各住戸の住戸内に設置された居室親機３によれば、前述のような上り伝送信号を住戸別線Ｌ3に送出することはなく、所謂、データ非伝送状態であるものの、データ非伝送状態の居室親機３であっても、その居室親機３に接続される住戸別線Ｌ3には従来例と同様、暗ノイズが重畳されるため、暗ノイズが分岐器５、住戸幹線Ｌ2を経由して上流側で直近の幹線増幅器６に伝送されることになる。
【００５８】
すなわち、例えば、３０１号室内に設置された居室親機３以外で同一階（３階）他住戸の住戸内に設置されたデータ非伝送状態の居室親機３から住戸別線Ｌ3に重畳された暗ノイズは、住戸幹線Ｌ2のライン上に設置された所定数の分岐器５及びその住戸幹線Ｌ2を経由して２階のフロアに設置された幹線増幅器６に伝送される、また、４階以上の各住戸の住戸内に設置されたデータ非伝送状態の居室親機３から住戸別線Ｌ3に重畳された暗ノイズについても、住戸幹線Ｌ2のライン上に設置された所定数の分岐器５及びその住戸幹線Ｌ2を経由して３階のフロアに設置された幹線増幅器６に伝送されるように、より上階の各住戸の住戸内に設置されたデータ非伝送状態の居室親機３から住戸別線Ｌ3に重畳された暗ノイズは、直下階のフロアに設置された幹線増幅器６に伝送されることになる。
【００５９】
そこで、２階及びより上階（３階、４階、・・・）の各フロアに設置された幹線増幅器６のうち、最初に、３階以上の各フロアに設置された幹線増幅器６を構成する図２に示す上り伝送信号処理部６２は、４階以上の各住戸の住戸内に設置されたデータ非伝送状態の居室親機３より住戸別線Ｌ3へ重畳され、住戸幹線Ｌ2のライン上に設置された所定数の分岐器５及びその住戸幹線Ｌ2を経由して伝送され、下流側信号送受信部６１にて受信された暗ノイズについて、第１の上り伝送用増幅器６２０、第１の上り伝送用波形整形回路６２２を経由して所定の信号処理を行った後、上り伝送用ＡＧＣ増幅器６２４に送出する。
【００６０】
この上り伝送用ＡＧＣ増幅器６２４には、上り伝送用利得設定回路６２５が当該上り伝送用ＡＧＣ増幅器の出力電圧を直流電圧に変換してフィードバック入力されるため、その作用で決定された所定の利得で暗ノイズを増幅するものの、電圧比較回路６２６の比較結果として、上り伝送用利得設定回路６２５の出力電圧、すなわち、上り伝送用ＡＧＣ増幅器６２４にフィードバックされる出力電圧が、下流側の住戸幹線Ｌ2がデータ非伝送時の直流電圧として予め設定されている基準電圧よりも高いため、上り伝送用ＡＧＣ増幅器６２４から第２の上り伝送用波形整形回路６２３、第２の上り伝送用増幅器６２１、上流側信号送受信部６０を経由して下流側の住戸幹線Ｌ2への信号伝送路が遮断される。
【００６１】
したがって、上り伝送用ＡＧＣ増幅器６２４からの出力である暗ノイズが下流側の住戸幹線Ｌ2に重畳されることはなく、ゆえに、上流側の幹線増幅器６である、２階のフロアに設置された幹線増幅器６に対して、増幅された暗ノイズが送出されることはない。
【００６２】
次に、２階のフロアに設置された幹線増幅器６を構成する図２に示す上り伝送信号処理部６２は、下流側の住戸幹線Ｌ2を伝送され下流側信号送受信部６１にて受信された上り伝送信号について、第１の上り伝送用増幅器６２０、第１の上り伝送用波形整形回路６２２を経由して所定の信号処理を行った後、上り伝送用ＡＧＣ増幅器６２４に送出する。
【００６３】
この上り伝送用ＡＧＣ増幅器６２４には、上り伝送用利得設定回路６２５が当該上り伝送用ＡＧＣ増幅器の出力電圧を直流電圧に変換してフィードバック入力されるため、その作用で決定された所定の利得で上り伝送信号を増幅することができる。すなわち、上り伝送信号が伝送されてきた住戸幹線Ｌ2の線路長に起因した前述の減衰量及びその伝送経路上に設置された所定数の分岐器５の減衰量に対応して、その振幅が小さい場合には大きな利得で増幅する一方、その振幅が大きい場合には小さな利得で増幅する。
【００６４】
また、電圧比較回路６２６によれば、上り伝送用利得設定回路６２５の出力電圧、すなわち、上り伝送用ＡＧＣ増幅器６２４にフィードバックされる出力電圧と、下流側の住戸幹線Ｌ2のデータ非伝送時の直流電圧として予め設定されている基準電圧とを比較する。ここでは、３０１号室の分岐器５を経由して居室親機３から伝送されてくる上り伝送信号によって、上り伝送用利得設定回路６２５にて設定される利得が低くなることで、出力電圧が基準電圧よりも低いため、上り伝送用ＡＧＣ増幅器６２４から第２の上り伝送用波形整形回路６２３、第２の上り伝送用増幅器６２１、上流側信号送受信部６０を経由して下流側の住戸幹線Ｌ2への信号伝送路が形成され、この伝送路を経由して所定の信号処理がなされた上り伝送信号が上流側の住戸幹線Ｌ2に送出されることになる。
【００６５】
次に、３０１号室内に設置された居室親機３以外の、同一階（３階）他住戸の住戸内に設置されたデータ非伝送状態の居室親機３により住戸別線Ｌ3へ重畳された暗ノイズは、前述の上り伝送信号と同様、２階のフロアに設置された幹線増幅器６を構成する図２に示す上り伝送信号処理部６２に伝送される。また、上り伝送信号処理部６２は、下流側信号送受信部６１にて受信された暗ノイズについて、第１の上り伝送用増幅器６２０、第１の上り伝送用波形整形回路６２２を経由して所定の信号処理を行った後、上り伝送用ＡＧＣ増幅器６２４に送出する。
【００６６】
この上り伝送用ＡＧＣ増幅器６２４には、上り伝送用利得設定回路６２５が当該上り伝送用ＡＧＣ増幅器の出力電圧を直流電圧に変換してフィードバック入力されるため、その作用で決定された所定の利得で暗ノイズを増幅するものの、電圧比較回路６２６の比較結果として、上り伝送用利得設定回路６２５の出力電圧、すなわち、上り伝送用ＡＧＣ増幅器６２４にフィードバックされる出力電圧が、下流側の住戸幹線Ｌ2がデータ非伝送時の直流電圧として予め設定されている基準電圧よりも高いため、上り伝送用ＡＧＣ増幅器６２４から第２の上り伝送用波形整形回路６２３、第２の上り伝送用増幅器６２１、上流側信号送受信部６０を経由して下流側の住戸幹線Ｌ2への信号伝送路が遮断される。
【００６７】
したがって、上り伝送用ＡＧＣ増幅器６２４からの出力である暗ノイズが下流側の住戸幹線Ｌ2に重畳されることはなく、ゆえに、制御機４に対して、増幅された暗ノイズが送出されることはない。
【００６８】
なお、前述のように、２階のフロアに設置された幹線増幅器６から下流側の住戸幹線Ｌ2に送出された、増幅された暗ノイズの重畳がない上り伝送信号は、２階、１階の住戸数に対応して住戸幹線Ｌ2のライン上に設置された所定数の分岐器５及びその住戸幹線Ｌ2を経由して制御機４に伝送されるものの、２階のフロアに設置された幹線増幅器６と制御機４との間には幹線増幅器６が設置されていないため、１階、２階の各住戸の住戸内に設置されたデータ非伝送状態の居室親機３より住戸別線Ｌ3へ暗ノイズが重畳された場合であっても、この暗ノイズが増幅されることはなく、３０１号室内に設置された居室親機３からの上り伝送信号に影響を与えない安定かつ正常な信号レベルが保持され、制御機４から玄関機接続線Ｌ1を経由して集合玄関機１に伝送させることができる。
【００６９】
集合玄関機１は、３０１号室内に設置された居室親機３から伝送されてきた上り伝送信号を受信すると、図３に示すフレーム構成を参照し、そのフレーム構成のうち「制御データ」の該当スロットに挿入されている親機番号及び呼出応答データをもとに３０１号室内に在室中の居住者からの呼出応答があることを検出し、玄関機通話部１２のマイク１２ａ及びスピーカ１２ｂの使用による通話機能を能動とするとともに、「音声データ」の該当スロットに挿入されている音声データ、すなわち、親機通話部３１のマイク３１ａに入力された居住者の送話音声を、スピーカ１２ｂから受話音声として出力することができる。
【００７０】
次に、集合住宅の集合玄関に居る来訪者が、呼出先である３０１号室内に在室中の居住者との間で通話を成立させるにあたり、集合玄関機１を構成する玄関機通話部１２のマイク１２ａに送話音声を入力すると、図３に示すような下り伝送信号に係る所定の周波数帯域であって、１フレーム内の最前、最後の該当スロットに「プリアンブル（Ｐ）」、「ガードビット（Ｇ）」がそれぞれ挿入され、「プリアンブル（Ｐ）」の直後のスロットである「ヘッダ」の該当スロットには、３０１号室を指定するための住戸アドレスを構成する親機番号を、「制御データ」の該当スロットには、呼出元／音声送信元である集合玄関機１を示す玄関機番号を、「音声データ」の該当スロットには、玄関機通話部１２のマイク１２ａに入力された送話音声の音声データを、「映像データ」の該当スロットには、前述のような呼出時より継続して玄関機撮像部１１にて生成されている映像データを、「ガードビット（Ｇ）」の直前の該当スロットには「ＣＲＣ」をそれぞれ挿入させた下り伝送信号を生成する。この下り伝送信号は、前述の呼出時における当該下り伝送信号と同様な伝送経路で、かつ同様な信号処理がなされた後、全ての居室親機３に伝送される。
【００７１】
全ての居室親機３は、集合玄関機１から伝送されてきた下り伝送信号を受信すると、図３に示すフレーム構成を参照し、そのフレーム構成のうち「ヘッダ」の該当スロットに挿入される住戸アドレスを構成する親機番号と自居室親機に予め割当てられている親機番号とを比較し、当該親機番号が一致した場合にのみ、「音声データ」の該当スロットに挿入されている音声データ、すなわち、玄関機通話部１２のマイク１２ａに入力された来訪者の送話音声を、親機通話部３１のスピーカ３１ｂから受話音声として出力することができるばかりでなく、「映像データ」の該当スロットに挿入されている映像データ、すなわち、前述のような呼出時より継続して玄関機撮像部１１にて生成されている映像データを親機表示部３０のモニタ３０ｂに出画させることができる。ここでは、３０１号室内に設置された居室親機３のみ当該親機番号が一致し、前述のような音声出力及び映像出画の動作が行われることになる。
【００７２】
前述までの説明から明らかなように、本発明の集合住宅インターホン装置によれば、住戸毎の分岐器５を経由して制御機４に接続される住戸幹線Ｌ2のライン上に、居室親機３から集合玄関機１への上り伝送信号の信号レベルを当該分岐器の出力レベルまで増幅する上り伝送信号処理部６２と集合玄関機１から居室親機３への下り伝送信号の信号レベルを制御機４の出力レベルまで増幅する下り伝送信号処理部６３とを有する幹線増幅器６を少なくとも当該住戸幹線の減衰量に対応した所定の間隔で設置し、この上り伝送信号処理部６０が有する上り伝送用ＡＧＣ増幅器６２４にて下流側の住戸幹線Ｌ2がデータ非伝送時の暗ノイズを増幅した場合であっても、その増幅された暗ノイズを上流側の住戸幹線に送出することはない。
【００７３】
したがって、上り伝送用ＡＧＣ増幅器６２４の動作を停止させることなく、増幅された暗ノイズの上流側の住戸幹線Ｌ2への送出を停止できるため、上り伝送信号のフレームを構成するガードビットを減らすことができ当該上り伝送用ＡＧＣ増幅器の応答速度が高められるとともに、例えば、音声データのサンプリングレートが高められることで音質が向上するように、当該上り伝送信号が有する所定の周波数帯域の有効利用が図られ、さらには、住戸幹線Ｌ2の線路長及び居室親機３の設置台数の自由度を高めることができる。
【００７４】
なお、本発明の集合住宅インターホン装置においては、特定の実施の形態をもって説明してきたが、この形態に限定されるものでなく、本発明の効果を奏する限り、これまで知られた如何なる構成の当該装置であっても採用できるということはいうまでもないことである。
【００７５】
具体的に、本発明の実施例によれば、上り伝送信号の信号レベルを分岐器５の出力レベルまで増幅するとともに下り伝送信号の信号レベルを制御機４の出力レベルまで増幅する幹線増幅器６の設置場所として、２階のフロアを含めより上階（３階、４階、・・・）のフロア毎に設置させたが、この態様に限定されるものではない。すなわち、少なくとも住戸幹線Ｌ2の減衰量に対応した所定の間隔であれば、例えば、より大規模な集合住宅に適用するにあたり、複数の棟毎に設置してもよい。
【００７６】
また、本発明の実施例によれば、集合玄関機１から特定の居室親機３への呼出時に伝送される下り伝送信号のフレーム構成として、玄関機通話部１２のマイク１２ａに入力される送話音声の音声データを挿入せずに伝送させたが、この態様に限定されるものではない。例えば、その音声データを呼出時の下り伝送信号に挿入することで、呼出先である特定の居室親機３によれば、所定の呼出報知（呼出表示、呼出発報）及び映像出画の動作のみならず、親機通話部３１のスピーカ３１ｂから受話音声の出力も可能となる。
【００７７】
また、本発明の実施例によれば、集合玄関機１又は自住戸の玄関子機２からの呼出しに応答して音声データを送受信することで通話を成立させるとともに集合玄関機１及び（自住戸の）玄関子機２のうち少なくとも集合玄関機１にて生成される映像データを出画するために住戸内に設けられる機器として、居室親機３を適用したが、この態様に限定されるものではない。例えば、居室親機３と同様な機能を有する増設親機を設置し、所定の伝送路を経由して当該居室親機に接続することもできる。
【００７８】
さらに、本発明の実施例によれば、玄関子機２の態様として、子機撮像部２１を有する当該玄関子機を適用したが、この態様に限定されるものではなく、子機撮像部２１を不備とすることもできる。
【符号の説明】
【００７９】
１……集合玄関機
２……玄関子機
３……居室親機
４……制御機
５……分岐器
６……幹線増幅器
６２……上り伝送信号処理部
６２４……上り伝送用ＡＧＣ増幅器
６２５……上り伝送用利得設定回路
６２６……電圧比較回路
６３……下り伝送信号処理部
６３４……下り伝送用ＡＧＣ増幅器
６３５……下り伝送用利得設定回路
Ｌ2……住戸幹線
Ｌ3……住戸別線
【図１】
2014068309.tif 000003
【図２】
2014068309.tif 000004
【図３】
2014068309.tif 000005
【図４】
2014068309.tif 000006